(57)【要約】【課題】プリンタの給紙装置において、許容量を超える用紙が装填されることによる用紙が正常に給紙されない不具合を簡素で安価な構成により防止する。【解決手段】給紙装置１は、給紙ローラ３と、送紙ローラ４と、送紙ローラ４を回転させる送紙ギア５と、給紙ローラ３に送紙ギア５の回転力を伝達／伝達解除して給紙ローラ３を回転／停止させる給紙ギアユニット６と、給紙ギアユニット６による回転力の伝達を開始させるために動作される可動レバー７１と、用紙オーバー検出用レバー８とを備える。用紙オーバー検出用レバー８は、給紙トレイ２の側面に回動自在に軸支されており、給紙トレイ２に許容量を超える用紙が装填されると、用紙当接片８２が用紙に当接されて上昇し、これに連動してストッパ片８３が下降して可動レバー７１を係止し、これにより、可動レバー７１が動作できなくなり、給紙動作が行われなくなる。【選択図】図３
2007230768.tif 000002
【特許請求の範囲】
【請求項１】
用紙が装填される給紙トレイと、前記給紙トレイに装填されている用紙を取り込む給紙ローラと、前記給紙ローラにより取り込んだ用紙を搬送する送紙ローラと、前記送紙ローラにモータの回転力を伝達して前記送紙ローラを回転させる送紙ギアと、前記給紙ローラに前記送紙ギアの回転力を伝達／伝達解除して前記給紙ローラを回転／停止させるように動作する給紙ギアユニットと、前記給紙ギアユニットによる回転力の伝達を開始させるために動作される可動レバーと、を備えるプリンタの給紙装置において、
前記給紙トレイに許容量を超える用紙が装填されたときに前記可動レバーを動作できないように係止する用紙オーバー検出用レバーを備え、
前記用紙オーバー検出用レバーは、前記給紙トレイの側面に回動自在に軸支されるシャフト部と、前記シャフト部の一端側に設けられた前記給紙トレイに装填される最上の用紙に当接される用紙当接部と、前記シャフト部の他端側に設けられた前記可動レバーを係止するためのストッパ片とを具備し、
前記ストッパ片は、前記用紙当接部が前記給紙トレイに装填される最上の用紙に当接されて昇降することに連動して昇降し、前記給紙トレイに許容量未満の用紙が装填されているときに前記可動レバーを係止解除し、前記給紙トレイに許容量を超える用紙が装填されているときに前記可動レバーを係止して給紙動作が行われないようにすることを特徴とするプリンタの給紙装置。
【請求項２】
用紙が装填される給紙トレイと、前記給紙トレイに装填されている用紙を取り込む給紙ローラと、前記給紙ローラにより取り込んだ用紙を搬送する送紙ローラと、前記送紙ローラにモータの回転力を伝達して前記送紙ローラを回転させる送紙ギアと、前記給紙ローラに前記送紙ギアの回転力を伝達／伝達解除して前記給紙ローラを回転／停止させるように動作する給紙ギアユニットと、前記給紙ギアユニットによる回転力の伝達を開始させるために動作される可動レバーと、を備えるプリンタの給紙装置において、
前記給紙トレイに許容量を超える用紙が装填されたときに前記可動レバーを動作できないように係止する用紙オーバー検出用レバーを備え、前記可動レバーの動作が禁止されることにより給紙動作が行われないようにすることを特徴とするプリンタの給紙装置。
【請求項３】
前記用紙オーバー検出用レバーは、前記給紙トレイに装填される用紙に押されて動作することにより、前記可動レバーを動作できないように係止するものであることを特徴とする請求項２に記載のプリンタの給紙装置。
【発明の詳細な説明】
【技術分野】
【０００１】
本発明は、プリンタの画像記録部に用紙を給紙するプリンタの給紙装置に関するものである。
【背景技術】
【０００２】
従来から、プリンタの給紙装置は、図４（ａ）（ｂ）に示す構成のものが知られている。図４（ａ）（ｂ）に示すプリンタの給紙装置９０は、給紙トレイ９１に装填されている用紙９２を給紙ローラ９３により取り込んで送紙ローラ９４により画像記録部（不図示）に搬送することにより、画像記録部に用紙を給紙するようになっている。送紙ローラ９４は、送紙ギア９５によって給紙モータ（不図示）の回転力が伝達されることにより回転され、給紙ローラ９３は、給紙ギアユニット９６によって送紙ギア９５の回転が伝達／伝達解除されることにより回転／停止される。
【０００３】
給紙ギアユニット９６は、２つの欠歯歯車を相互に同軸に回転自在に結合すると共にそれら２つの欠歯歯車の間に回転方向に力を作用させるスプリングを介在させた、いわゆるクラッチギアと呼ばれるギアユニットである。この給紙ギアユニット９６は、ソレノイド９７の可動レバー９７ａが給紙ギアユニット９６の爪部９６ａに係合されると、送紙ギア９５に噛合されなくなって回転を停止して、送紙ギア９５の回転を給紙ローラ９３に伝達しなくなり、一方、可動レバー９７ａが爪部９６ａから係合解除されると、送紙ギア９５に噛合されて回転を開始して、送紙ギア９５の回転を給紙ローラ９３に伝達するようになっている。
【０００４】
給紙トレイ９１は、給紙トレイ９１の下に設けられた圧縮バネ９８及び給紙ギアユニット９６と共に回転するカム９９の働きにより、給紙ギアユニット９６の回転に同期して昇降するようになっている。つまり、給紙ギアユニット９６が可動レバー９７ａに係合される回転位置にあるときには（図４（ａ）参照）、カム９９が給紙トレイ９１の突出部９１ａを下方に押し付け、これにより、給紙トレイ９１が下降し、給紙ギアユニット９６が可動レバー９７ａに係合解除された回転位置にあるときには（図４（ｂ）参照）、カム９９が給紙トレイ９１の突出部９１ａの押し付けを解除し、これにより、給紙トレイ９１が圧縮バネ９８の力により上昇するようになっている。給紙トレイ９１の用紙９２は、給紙トレイ９１が下降している状態では、給紙ローラ９３から離反され、給紙トレイ９１が上昇することにより、給紙ローラ９３に押し付けられる。
【０００５】
このような構成の給紙装置６０において、用紙９２を画像記録部に給紙する給紙動作は、給紙モータを駆動して送紙ギア９５を回転させると共に、ソレノイド９７を一時的にオン駆動して可動レバー９７を給紙ギアユニット９６の爪部９６ａから一時的に係合解除させることにより行われる。こうすることにより、給紙ギアユニット９６が送紙ギア９５に噛合されて回転を開始し、給紙ローラ９３が回転すると共に給紙トレイ９１が上昇する。これにより、給紙トレイ９１の用紙９２は、給紙ローラ９３に押し付けられて、給紙ローラ９３の回転により取り込まれる。給紙ギアユニット９６が１回転すると、給紙トレイ９１は下降した状態となり、給紙ギアユニット９６はソレノイド９７の可動レバー９７ａに係合されて回転を停止し、給紙ローラ９３は回転を停止する。これにより、給紙ローラ９３による用紙２の取り込みが終了する。給紙ローラ９３により取り込まれた用紙は、給紙ギアユニット９６が１回転する間に送紙ローラ９４に到達し、給紙ローラ９３が回転を停止した後、送紙ローラ９４によって画像記録部に搬送される。
【０００６】
また、給紙トレイ内の最上面の用紙の位置を検出するセンサを設け、このセンサの出力信号を基に給紙トレイに許容量を超える用紙が装填されているか否かを判断し、許容量を超える用紙が装填されている場合に給紙動作を禁止するようにした給紙装置が知られている（例えば、特許文献１参照）。また、給紙トレイのトレイカバー内面に突起部を設けて、許容量を超える用紙が給紙トレイに装填されるとトレイカバーが浮き上がるようにし、トレイカバーの浮き上がりをフォトセンサにより検知して、トレイカバーが浮き上がっている場合に許容量を超える用紙が装填されているとして給紙動作を禁止するようにした給紙装置が知られている（例えば、特許文献２参照）。また、回動可能なリンク部材をソレノイドのオン、オフにより回動させて給紙トレイに係合、係合解除させることにより、給紙トレイを引出し禁止、引出し可能にするようにした給紙装置が知られている（例えば、特許文献３参照）。
【特許文献１】特開平６−１９９４２８号公報
【特許文献２】特開２００４−１８９３８８号公報
【特許文献３】特開平６−１６６４４９号公報
【発明の開示】
【発明が解決しようとする課題】
【０００７】
ところで、上述した従来の図４（ａ）（ｂ）に示す給紙装置においては、許容量を超える用紙９２が給紙トレイ９１に装填されていると、用紙９２が給紙ローラ９３により正常に取り込まれなくなり、用紙９２が正常に給紙されないという不具合が発生する。このような不具合は、給紙装置６０の各部に機械的負担をかけることになり、故障の原因になる可能性がある。そこで、許容量を超える用紙が装填されているときに給紙動作を禁止する構成を採用することが考えられるが、このような構成は、簡素で安価に実現することが要望される。なお、上述した特許文献１及び特許文献２に記載の給紙装置は、許容量を超える用紙が装填されていることをセンサを用いて検出し、そのセンサの検出信号を基に給紙動作を禁止する制御を行っているため、構成が複雑であり、また、高価になる。従って、これら特許文献１及び特許文献２に開示の内容を適用したとしても、上記の課題を解決することはできない。また、上述した特許文献３に開示の内容を適用したとしても、上記の課題を解決することはできない。
【０００８】
本発明は、上記課題を解決するためになされたものであり、許容量を超える用紙が装填されることによる用紙が正常に給紙されない不具合を簡素で安価な構成により防止することができるプリンタの給紙装置を提供することを目的とする。
【課題を解決するための手段】
【０００９】
上記目的を達成するために請求項１の発明は、用紙が装填される給紙トレイと、給紙トレイに装填されている用紙を取り込む給紙ローラと、給紙ローラにより取り込んだ用紙を搬送する送紙ローラと、送紙ローラにモータの回転力を伝達して送紙ローラを回転させる送紙ギアと、給紙ローラに送紙ギアの回転力を伝達／伝達解除して給紙ローラを回転／停止させるように動作する給紙ギアユニットと、給紙ギアユニットによる回転力の伝達を開始させるために動作される可動レバーと、を備えるプリンタの給紙装置において、給紙トレイに許容量を超える用紙が装填されたときに可動レバーを動作できないように係止する用紙オーバー検出用レバーを備え、用紙オーバー検出用レバーは、給紙トレイの側面に回動自在に軸支されるシャフト部と、シャフト部の一端側に設けられた給紙トレイに装填される最上の用紙に当接される用紙当接部と、シャフト部の他端側に設けられた可動レバーを係止するためのストッパ片とを具備し、ストッパ片は、用紙当接部が給紙トレイに装填される最上の用紙に当接されて昇降することに連動して昇降し、給紙トレイに許容量未満の用紙が装填されているときに可動レバーを係止解除し、給紙トレイに許容量を超える用紙が装填されているときに可動レバーを係止して給紙動作が行われないようにするものである。
【００１０】
請求項２の発明は、用紙が装填される給紙トレイと、給紙トレイに装填されている用紙を取り込む給紙ローラと、給紙ローラにより取り込んだ用紙を搬送する送紙ローラと、送紙ローラにモータの回転力を伝達して送紙ローラを回転させる送紙ギアと、給紙ローラに送紙ギアの回転力を伝達／伝達解除して給紙ローラを回転／停止させるように動作する給紙ギアユニットと、給紙ギアユニットによる回転力の伝達を開始させるために動作される可動レバーと、を備えるプリンタの給紙装置において、給紙トレイに許容量を超える用紙が装填されたときに可動レバーを動作できないように係止する用紙オーバー検出用レバーを備え、可動レバーの動作が禁止されることにより給紙動作が行われないようにするものである。
【００１１】
請求項３の発明は、請求項２に記載のプリンタの給紙装置において、用紙オーバー検出用レバーは、給紙トレイに装填される用紙に押されて動作することにより、可動レバーを動作できないように係止するものである。
【発明の効果】
【００１２】
請求項１の発明によれば、給紙トレイに許容量を超える用紙が装填されると、用紙オーバー検出用レバーの用紙当接片が用紙に当接されて上昇することに連動して用紙オーバー検出用レバーのストッパ片が下降して、ストッパ片が給紙ギアユニットによる回転力の伝達を開始させるための可動レバーを係止し、これにより、可動レバーが動作できなくなり、給紙動作が行われなくなる。これにより、許容量を超える用紙が装填されることによる用紙が正常に給紙されない不具合を防止することができ、給紙装置に負担がかかることがなく、ユーザに正しく装置を使用してもらうことができる。しかも、許容量を超える用紙が装填されたときに給紙動作が行われなくする構成を、可動レバーを係止する簡素な構成で安価に実現することができる。さらに、許容量を超える用紙が装填されたときに給紙動作が行われなくする構成を、用紙当接片が用紙に当接されて上昇することに連動してストッパ片が可動レバーを係止する、より一層簡素で安価に実現することができる。
【００１３】
請求項２の発明によれば、給紙トレイに許容量を超える用紙が装填されると、用紙オーバー検出用レバーが給紙ギアユニットによる回転力の伝達を開始させるための可動レバーを係止し、これにより、可動レバーが動作できなくなり、給紙動作が行われなくなる。これにより、許容量を超える用紙が装填されることによる用紙が正常に給紙されない不具合を防止することができ、給紙装置に負担がかかることがなく、ユーザに正しく装置を使用してもらうことができる。しかも、許容量を超える用紙が装填されたときに給紙動作が行われなくする構成を、可動レバーを係止する簡素な構成で安価に実現することができる。
【００１４】
請求項３の発明によれば、許容量を超える用紙が装填されたときに給紙動作が行われなくする構成を、用紙オーバー検出用レバーが用紙に押されて可動レバーを係止する、より一層簡素な構成で安価に実現することができる。
【発明を実施するための最良の形態】
【００１５】
以下、本発明を具体化した実施形態によるプリンタの給紙装置について図面を参照して説明する。図１（ａ）（ｂ）、図２は、プリンタの給紙装置の構成を示す。プリンタの給紙装置１は、用紙が装填される給紙トレイ２と、給紙トレイ２に装填されている用紙を取り込む給紙ローラ３と、給紙ローラ３により取り込んだ用紙を搬送する送紙ローラ４とを備える。また、給紙装置１は、送紙ローラ４に給紙モータ（不図示）の回転力を伝達する送紙ギア５と、給紙ローラ３に送紙ギア５の回転力を伝達／伝達解除する給紙ギアユニット６と、給紙ギアユニット６による回転力の伝達／伝達解除を制御するためのソレノイド７と、給紙トレイ４に許容量を超える用紙が装填されたときに給紙動作が行われないようにする用紙オーバー検出用レバー８とを備える。
【００１６】
給紙装置１は、プリンタ筐体１０内に装備され、プリンタ筐体１０の給紙口１１からプリンタ筐体１０内に差し込まれた用紙がプリンタ筐体１０内に位置する給紙トレイ２に装填される。給紙装置１は、給紙トレイ２に装填されている用紙を給紙ローラ３により取り込んで送紙ローラ４により画像記録部に搬送することにより、画像記録部に用紙を給紙する。画像記録部に給紙された用紙は、画像記録された後、排紙口１２からプリンタ筐体１０外に排出される。
【００１７】
給紙トレイ２は、給紙ローラ３側が昇降可能なように軸部２ａを中心として回動自在にシャーシ１５に支持されており、給紙トレイ２を上昇させるための圧縮バネ１６が給紙トレイ２とシャーシ１５との間に設けられている。給紙トレイ２には、サイズの異なる用紙に対応して用紙をガイドするための用紙ガイド２１が移動自在に設けられている。
【００１８】
給紙ローラ３は、給紙回転軸１７に固定的に設けられており、送紙ローラ４は、送紙回転軸１８に固定的に設けられている。また、給紙トレイ２を下降させるためのカム１９が給紙回転軸１７に固定的に設けられている。給紙回転軸１７及び送紙回転軸１８は、シャーシ１５に回転自在に支持されている。
【００１９】
送紙ギア５は、送紙回転軸１８に固定的に連結されており、給紙モータの回転力が伝達されることにより回転する。つまり、送紙ギア５は、給紙モータの回転力を送紙ローラ４に伝達して送紙ローラ４を回転させる。
【００２０】
給紙ギアユニット６は、欠歯区間を有する第１の給紙ギア６１と欠歯区間を有する第２の給紙ギア６２を同軸に相互に回転自在に連結すると共に第１の給紙ギア６１と第２の給紙ギア６２との間に回転方向の力を作用させるスプリングを介在させた、いわゆるクラッチギアと呼ばれるギアユニットである。第１の給紙ギア６１は、給紙回転軸１７に固定的に連結されており、第２の給紙ギア６２は、第１の給紙ギア６１に対して同軸に回動自在に連結されている。
【００２１】
ソレノイド７は、給紙ギアユニット６による回転力の伝達を開始させるために動作される可動レバー７１を備えている。可動レバー７１は、ソレノイド７がオン駆動されていないとき（オフのとき）に第２の給紙ギア６２の側面に押し付けられており、ソレノイド７がオン駆動されることにより、第２の給紙ギア６２の側面から離反するように動作する。
【００２２】
上記給紙ギアユニット６は、外力が作用していないときには、第１の給紙ギア６１と第２の給紙ギア６２の間に設けられたスプリングの力により、第１の給紙ギア６１の欠歯区間と第２の給紙ギア６２の欠歯区間が異なる場所に位置するようになっている。すなわち、給紙ギアユニット６は、スプリングの力に抗して第１の給紙ギア６１を第２の給紙ギア６２に対して回転させることにより、第１の給紙ギア６１の欠歯区間と第２の給紙ギア６２の欠歯区間を同じ場所に合わせることが可能となっている。また、第２の給紙ギア６２は、爪部６２ａを有しており、第２の給紙ギア６２の欠歯区間が送紙ギア５の位置にあるときに、ソレノイド７の可動レバー７１が爪部６２ａに係合されるようになっている。
【００２３】
従って、可動レバー７１が爪部６２ａに係合されているときに送紙ギア５が回転すると、給紙ギアユニット６は、第１の給紙ギア６１の欠歯区間と第２の給紙ギア６２の欠歯区間がスプリングの圧縮状態で送紙ギア５の位置に保持される状態になり、第１の給紙ギア６１と第２の給紙ギア６２が共に送紙ギア５に噛合されない。これにより、給紙ギアユニット６は、送紙ギア５が回転しているにも関わらず回転せず、送紙ギア５の回転を給紙回転軸１７に伝達しない。
【００２４】
また、送紙ギア５が回転しているときに可動レバー７１が爪部６２ａから係止解除されると、給紙ギアユニット６は、スプリングの力により第２の給紙ギア６２が第１の給紙ギア６１に対して回転して送紙ギア５に噛合される。そして、第２の給紙ギア６２が送紙ギア５の回転により回転し、第２の給紙ギア６２と一体となって第１の給紙ギア６１が回転することにより、第１の給紙ギア６１も送紙ギア５に噛合される。これにより、給紙ギアユニット６は、送紙ギア５の回転により回転して、送紙ギア５の回転を給紙回転軸１７に伝達する。給紙ギアユニット６が１回転して再び可動レバー７１が爪部６２ａに係合されると、給紙ギアユニット６は、上記と同様に送紙ギア５が回転しているにも関わらず回転しない状態になり、送紙ギア５の回転を給紙回転軸１７に伝達しなくなる。
【００２５】
つまり、給紙ギアユニット６は、可動レバー７１が爪部６２ａから係合解除されることにより、送紙ギア５の回転を給紙回転軸１７（すなわち給紙ローラ３及びカム１９）に伝達して、給紙ローラ３及びカム１９を回転させ、可動レバー７１が爪部６２ａに係合されることにより、送紙ギア５の回転を給紙回転軸１７に伝達解除して、給紙ローラ３及びカム１９の回転を停止させる。
【００２６】
カム１９は、給紙ギアユニット６の爪部６２ａに可動レバー７１が係合される回転位置にあるときには、給紙トレイ２の突出部２ｂを下方に押し付けて、給紙トレイ２を圧縮バネ１６の反発力に抗して下降させ、また、爪部６２ａから可動レバー７１が係合解除された回転位置にあるときには、給紙トレイ２の突出部２ｂの押し付けを解除し、給紙トレイ２を圧縮バネ１６の反発力により上昇させる。給紙トレイ２に装填される用紙は、給紙トレイ２が下降している状態では、給紙ローラ３から離反され、給紙トレイ２が上昇することにより、給紙ローラ３に押し付けられる。
【００２７】
用紙オーバー検出用レバー８は、給紙トレイ２の側面に回動自在に軸支されるシャフト部８１と、給紙トレイ２に装填される最上の用紙に当接される用紙当接部８２と、ソレノイド７の可動レバー７１を係止するためのストッパ片８３とを具備している。シャフト部８１は、軸支部８ａを中心として回動自在になっている。用紙当接部８２は、シャフト部８１の一端側に設けられて給紙トレイ２の用紙載置面上に張り出しており、給紙トレイ２に装填される最上の用紙に当接することにより、装填される用紙の量に応じて昇降する。ストッパ片８３は、シャフト部８１の他端側に設けられてソレノイド７の可動レバー７１の背後側に突出しており、用紙当接部８２の昇降に連動してシャフト部８１が回動することにより昇降する。
【００２８】
シャフト部８１は、軸支部８ａに設けられたバネ（不図示）により、ストッパ片８３が上昇（用紙当接部８２が下降）する方向に付勢されており、ストッパ片８３は、給紙トレイ２に用紙が装填されていないとき（及び許容量未満の用紙が装填されているとき）に、上昇位置にあって可動レバー７１を係止解除し、給紙トレイ２に許容量を超える用紙が装填されたときに、用紙当接部８２の上昇に連動して下降することにより可動レバー７１を係止するようになっている。
【００２９】
図３（ａ）（ｂ）（ｃ）は、上記給紙装置１の給紙動作を示す。給紙装置１は、給紙トレイ２に装填されている用紙２０を画像記録部に給紙するとき、まず、給紙モータを駆動して送紙ギア５を回転させる。これにより、送紙ローラ４が回転する。そして、ソレノイド７を一時的にオン駆動する。
【００３０】
このとき、給紙トレイ２に装填されている用紙２０が許容量未満であれば（図３（ａ）参照）、用紙オーバー検出用レバー８のストッパ片８３はソレノイド７の可動レバー７１を係止していない。従って、可動レバー７１は、ソレノイド７のオン駆動によって給紙ギアユニット６の爪部６２ａから一時的に係合解除される。これにより、給紙ギアユニット６は送紙ギア５に噛合されて回転し、給紙ローラ３及びカム１９が回転する。
【００３１】
これにより、給紙トレイ２が上昇し（図３（ｂ）参照）、給紙トレイ２の用紙２０は、給紙ローラ３に押し付けられて、給紙ローラ３の回転により取り込まれる。給紙ギアユニット６が１回転すると、給紙トレイ２は下降した状態となり、給紙ギアユニット６はソレノイド７の可動レバー７１に係合されて回転を停止し、給紙ローラ３及びカム１９が回転を停止する。これにより、給紙ローラ３による用紙２０の取り込みが終了する。給紙ローラ３により取り込まれた用紙は、給紙ギアユニット６が１回転する間に送紙ローラ４に到達し、給紙ローラ３が回転を停止した後、送紙ローラ４によって画像記録部に搬送される。給紙トレイ２に装填されている用紙２０が許容量未満であれば、このようにして給紙動作が行われる。
【００３２】
一方、給紙トレイ２に装填されている用紙２０が許容量を超えていれば（図３（ｃ）参照）、用紙オーバー検出用レバー８のストッパ片８３がソレノイド７の可動レバー７１を係止している。従って、可動レバー７１は、動作が禁止され（つまりソレノイド７がオン駆動されているにも関わらず動作できず）、給紙ギアユニット６の爪部６２ａから係合解除されない。これにより、給紙ギアユニット６は回転せず、給紙ローラ３及びカム１９が回転しないため、給紙動作は行われない。
【００３３】
このように、上記構成のプリンタの給紙装置１によれば、給紙トレイ２に許容量を超える用紙が装填されると、用紙オーバー検出用レバー８が給紙ギアユニット６による回転力の伝達を開始させるための可動レバー７１を係止し、これにより、可動レバー７１が動作できなくなり、給紙動作が行われなくなる。これにより、許容量を超える用紙が装填されることによる用紙が正常に給紙されない不具合を防止することができ、給紙装置１に負担がかかることがなく、ユーザに正しく給紙装置１を使用してもらうことができる。
【００３４】
しかも、許容量を超える用紙が装填されたときに給紙動作が行われなくする構成を、可動レバー７１を係止する簡素な構成で安価に実現することができる。さらに、許容量を超える用紙が装填されたときに給紙動作が行われなくする構成を、用紙オーバー検出用レバー８の用紙当接片８２が用紙に当接されて上昇することに連動してストッパ片８３が可動レバー７１を係止する、より一層簡素で安価に実現することができる。
【００３５】
なお、本発明は、上記実施形態の構成に限られず、種々の変形が可能である。例えば、用紙オーバー検出用レバー８は、給紙トレイ２に限られず、シャーシ１５やプリンタ筐体１０に支持されていてもよい。給紙ギアユニット６に代えて、他の駆動伝達機構により、送紙ギア５の回転力を給紙ローラ３に伝達／伝達解除して給紙ローラ３を回転／停止させるようにしてもよい。可動レバー７１は、ソレノイド７に限られず、他の駆動手段により動作されてもよい。給紙トレイ２を上昇させて用紙を給紙ローラ３に押し付ける構成に代えて、給紙ローラ３を下降させて用紙に押し付ける構成であってもよい。
【図面の簡単な説明】
【００３６】
【図１】（ａ）は本発明の一実施形態に係るプリンタの給紙装置の全体構成を示す斜視図、（ｂ）はその側面図。
【図２】同給紙装置の部分拡大した斜視図。
【図３】（ａ）は同給紙装置の許容量未満の用紙が装填されている場合の給紙動作を行う前の側面図、（ｂ）は同許容量未満の用紙が装填されている場合の給紙動作を行っているときの側面図、（ｃ）は同許容量を超える用紙が装填されている場合の側面図。
【図４】（ａ）は従来の給紙装置の給紙動作を行っていないときの側面図、（ｂ）は同給紙動作を行っているときの側面図。
【符号の説明】
【００３７】
１    プリンタの給紙装置
２    給紙トレイ
３    給紙ローラ
４    送紙ローラ
５    送紙ギア
６    給紙ギアユニット
７    ソレノイド
８    用紙オーバー検出用レバー
１０    プリンタ筐体
１１    給紙口
１２    排紙口
１５    シャーシ
１６    圧縮バネ
１７    給紙回転軸
１８    送紙回転軸
１９    カム
２０    用紙
２１    用紙ガイド
６１    第１の給紙ギア
６２    第２の給紙ギア
６２ａ    爪部
７１    可動レバー
８１    シャフト部
８２    用紙当接部
８３    ストッパ片
【図１】
2007230768.tif 000003
【図２】
2007230768.tif 000004
【図３】
2007230768.tif 000005
【図４】
2007230768.tif 000006